【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  携帯通信機器、プリンタ、プリントサーバー及びこれらの機器を接続するネットワークとを有する印刷システムであって、
前記プリントサーバーは、前記プリンタとの間で、第一通信手段と、
前記携帯通信機器は、前記プリンタとの間で、近距離無線通信を用いた第二通信手段とを有し、
更に、前記プリントサーバーは、前記第一通信手段により、前記蓄積手段に蓄積された印刷データを、前記第二通信手段により探索した前記携帯通信機器周辺に位置するプリンタに送信することを特徴とする印刷システム。
【請求項２】  請求項１記載の印刷システムにおいて、
前記携帯通信機器は、クライアント及び前記プリントサーバーとの間で、第三通信手段及び第四通信手段を有し、
前記携帯通信機器は、前記第三通信手段又は第四通信手段により、前記クライアント又は前記プリントサーバーから、当該携帯通信機器に対する印刷ジョブの通知を受けることを特徴とする印刷システム。
【請求項３】  請求項１又は２記載の印刷システムにおいて、
前記携帯通信機器周辺に位置するプリンタは、前記第二通信手段により通信可能な範囲に存在するプリンタであって、前記携帯通信機器が指定したプリンタ、前記プリントサーバーに前記印刷データの転送要求を行ったプリンタ又は前記プリントサーバーが選択したプリンタであることを特徴とする印刷システム。
【請求項４】  請求項１又は２記載の印刷システムにおいて、
前記携帯通信機器周辺に位置するプリンタは、前記第二通信手段により通信可能な範囲に存在するプリンタであって、前記携帯通信機器に近いプリンタ、印刷内容に適したプリンタ又は印刷が早く終了するプリンタプリンタであることを特徴とする印刷システム。
【請求項５】  請求項１ないし４いずれか一項記載の印刷システムにおいて、
クライアント内に、プリントサーバーを設けたことを特徴とする印刷システム。
【請求項６】  携帯通信機器、クライアント、プリンタ、プリントサーバー及びこれらの機器を接続するネットワークとを有する印刷システムにおける印刷方法であって、
前記プリントサーバーは、前記クライアントから出力された印刷データを蓄積する蓄積ステップと、
前記携帯通信機器は、前記プリンタとの間で、近距離無線通信を用いて通信を行う通信ステップとを有し、
前記プリントサーバーは、前記蓄積手段に蓄積された印刷データを、前記携帯通信機器が指定したプリンタ、前記携帯通信機器から印刷ジョブに関する情報を受けたプリンタであって前記印刷データの転送要求を行ったプリンタ、又は前記プリントサーバーが選択したプリンタに送信する印刷データ送信ステップと、
前記印刷データを受信したプリンタが印刷するステップと
を有することを特徴とする印刷方法。
【請求項７】  請求項６記載の印刷方法において、
前記プリントサーバー又は前記クライアントは、前記携帯通信機器に、当該携帯通信機器対する印刷ジョブの通知を行うステップと
を有することを特徴とする印刷方法。
【請求項８】  請求項６記載の印刷方法において、
前記携帯通信機器は、自己宛の印刷ジョブが、前記プリントサーバーに存在するか否かを定期的にチェックを行うステップと
を有することを特徴とする印刷方法。
【請求項９】  請求項６ないし８いずれか一項記載の印刷方法において、
前記通信ステップにより、前記携帯通信機器と前記プリンタの間で、互いに、相手を認証することを特徴とする印刷方法。
【請求項１０】  請求項６ないし９いずれか一項記載の印刷方法において、
前記印刷データ送信ステップにおける印刷データを受信するプリンタは、前記携帯通信機器に近いプリンタ、印刷内容に適したプリンタ又は印刷が早く終了するプリンタであることを特徴とする印刷方法。
【請求項１１】  携帯通信機器、クライアント、プリンタ、プリントサーバー及びこれらの機器を接続するネットワークとを有する印刷システムにおける携帯通信機器において、
前記プリンタとの間で近距離無線通信を行う第一の通信手段と、
前記プリントサーバーとの間で通信を行う第二の通信手段と、
前記クライアントとの間で通信を行う第三の通信手段とを有し、
第二通信手段又は第三通信手段により、前記クライアント又は前記プリントサーバーから、当該携帯通信機器に対する印刷ジョブの通知を受け、
前記第一の通信手段を用いて印刷するプリンタを特定し、この印刷するプリンタの情報を、前記第二の通信手段により前記プリントサーバーに通知することを特徴とする携帯通信機器。
【請求項１２】  携帯通信機器、クライアント、プリンタ、プリントサーバー及びこれらの機器を接続するネットワークとを有する印刷システムにおける携帯通信機器において、
前記プリンタとの間で近距離無線通信を行う第一の通信手段と、
前記プリントサーバーとの間で通信を行う第二の通信手段と、
前記クライアントとの間で通信を行う第三の通信手段とを有し、
第二通信手段又は第三通信手段により、前記クライアント又は前記プリントサーバーから、当該携帯通信機器に対する印刷ジョブの通知を受け、
前記第一の通信手段を用いて、印刷するプリンタを検索し、さらに、前記第一の通信手段を用いて、検索したプリンタに、前記プリントサーバーに印刷データ要求するよう指示することを特徴とする携帯通信機器。
【請求項１３】  請求項１１又は１２記載の携帯通信機器において、
前記携帯通信機器は、第一の通信手段により、前記プリンタとの間で、互いに、相手を認証する認証手段を有することを特徴とする携帯通信機器。
【請求項１４】  携帯通信機器、プリンタ、プリントサーバー及びこれらの機器を接続するネットワークとを有する印刷システムにおけるプリンタにおいて、
前記携帯通信機器との間で近距離無線通信を行う第一の通信手段と、
前記プリントサーバーとの間で通信を行う第二の通信手段とを有し、
前記第一の通信手段を用いて、前記携帯通信機器から該携帯通信機器所有者向けの印刷ジョブに関する情報の通知を受け、前記第二の通信手段により、プリントサーバーへ印刷データの送信の要求又は自己のプリンタ属性を送信する手段を有し、
前記プリントサーバーから前記印刷データを受信したプリンタが、前記携帯通信機器向けの印刷を行うことを特徴とするプリンタ。
【請求項１５】  請求項１４記載のプリンタにおいて、
前記プリンタは、第一の通信手段により、前記携帯通信機器との間で、互いに、相手を認証することを特徴とするプリンタ。
【請求項１６】  携帯通信機器、クライアント、プリンタ、プリントサーバー及びこれらの機器を接続するネットワークとを有する印刷システムにおけるプリントサーバーにおいて、
前記携帯通信機器との間で通信を行う第一の通信手段と、
前記プリンタとの間で通信を行う第二の通信手段と、
前記クライアントとの間で通信を行う第三の通信手段と、
前記第三の通信手段により、前記クライアントから出力された印刷データを蓄積する蓄積手段とを有し、
前記蓄積手段に蓄積された印刷データを、前記携帯通信機器が指定したプリンタ、前記携帯通信機器から印刷ジョブに関する情報を受けたプリンタであって前記印刷データの転送要求を行ったプリンタ、又は前記プリントサーバーが選択したプリンタに送信することを特徴とするプリントサーバー。
【請求項１７】  請求項１６記載のプリントサーバーにおいて、
プリントサーバーに蓄積された印刷データの印刷形式と指定されたプリンタの印刷形式が異なる場合、
印刷データの印刷形式を指定されたプリンタの印刷形式に変更して、前記第二の通信手段により前記プリンタに伝送することを特徴とするプリントサーバー。
【請求項１８】  請求項１６又は１７記載のプリントサーバーにおいて、
前記プリントサーバーが選択したプリンタは、前記携帯通信機器に近いプリンタ、印刷内容に適したプリンタ又は印刷が早く終了するプリンタプリンタであることを特徴とするプリントサーバー。
【請求項１９】  プリンタに搭載されるプログラムを記録したコンピュータ読取可能な記録媒体において、
携帯通信機器との間で近距離無線通信を行う第一のステップと、
プリントサーバーとの間で通信を行う第二のステップとを有し、
前記第一のステップにより、前記携帯通信機器から該携帯通信機器所有者向けの印刷ジョブに関する情報の通知を受け、前記第二のステップにより、プリントサーバーへ印刷データの送信の要求又は自己のプリンタ属性を送信することをコンピュータに実行させて、
前記携帯通信機器に近いプリンタから印刷させるプログラムを記録したコンピュータ読取可能な記録媒体。
【請求項２０】  プリントサーバーに搭載されるプログラムを記録したコンピュータ読取可能な記録媒体において、
携帯通信機器との間で通信を行う第一のステップと、
プリンタとの間で通信を行う第二のステップと、
クライアントとの間で通信を行う第三のステップと、
前記第三のステップにより、前記クライアントから出力された印刷データを蓄積する第４のステップと、
前記第４のステップにより蓄積された印刷データを、前記携帯通信機器が指定したプリンタ、前記携帯通信機器から印刷ジョブに関する情報を受けたプリンタであって前記印刷データの転送要求を行ったプリンタ、又は前記プリントサーバーが選択したプリンタに送信して、該プリンタから印刷させることをコンピュータに実行させて、
前記携帯通信機器に近いプリンタから印刷させるプログラムを記録したコンピュータ読取可能な記録媒体。
【請求項２１】  携帯通信機器、クライアント、プリンタ及びこれらの機器を接続するネットワークとを有する印刷システムにおける印刷方法であって、
前記クライアントは、印刷ジョブを生成するステップと、
前記クライアントは、前記携帯通信機器に対する印刷ジョブに関する情報を、当該携帯機器に通知するステップと、
前記携帯通信機器と前記プリンタの間で、近距離無線通信を行うステップと
前記クライアントは、印刷データを、前記携帯通信機器が指定したプリンタ、前記プリントサーバーに前記印刷データの転送要求を行ったプリンタ又は前記プリントサーバーが選択したプリンタプリンタに送信する印刷データ送信ステップと、
印刷データを受信したプリンタが印刷するステップと
を有することを特徴とする印刷方法。
【請求項２２】  請求項２１記載の印刷方法において、
印刷する前記プリンタは、前記携帯通信機器に近いプリンタ、印刷内容に適したプリンタ又は印刷が早く終了するプリンタであることを特徴とする印刷方法。
【請求項２３】  携帯通信機器、クライアント、プリンタ及びこれらの機器を接続するネットワークとを有する印刷システムにおける携帯通信機器において、
前記プリンタとの間で近距離無線通信を行う第一の通信手段と、
前記クライアントとの間で通信を行う第二の通信手段とを有し、
第二通信手段により、前記クライアントから、当該携帯通信機器に対する印刷ジョブの通知を受け、
前記第一の通信手段により、印刷するプリンタを特定し、印刷ジョブに関する情報を、該プリンタに転送することを特徴とする携帯通信機器。
【請求項２４】  携帯通信機器、クライアント、プリンタ及びこれらの機器を接続するネットワークとを有する印刷システムにおけるプリンタにおいて、
前記携帯通信機器との間で近距離無線通信を行う第一の通信手段と、
前記クライアントとの間で通信を行う第二の通信手段と、
前記第一の通信手段を用いて、前記携帯通信機器から該携帯通信機器所有者向けの印刷ジョブに関する情報を受け、前記第二の通信手段により、前記クライアントへ印刷データの送信を要求又は自己のプリンタ属性を送信する手段を有し、
前記クライアントから前記印刷データを受信したプリンタが、前記携帯通信機器向けの印刷することを特徴とするプリンタ。
【請求項２５】  携帯通信機器、クライアント、プリンタ及びこれらの機器を接続するネットワークとを有する印刷システムにおけるクライアントにおいて、
前記携帯通信機器との間で通信を行う第一の通信手段と、
前記プリンタとの間で通信を行う第二の通信手段と、
前記携帯通信機器に対する印刷データを蓄積する蓄積手段とを有し、
前記第一の通信手段により、前記携帯通信機器に、当該携帯通信機器に対する印刷ジョブの通知を行い、
前記蓄積手段に蓄積された印刷データを、前記第二通信手段により、前記携帯通信機器が指定したプリンタ、前記クライアントに前記印刷データの転送要求を行ったプリンタ又は前記クライアントが選択したプリンタに送信することを特徴とするクライアント。
【請求項２６】  請求項２５記載のクライアントにおいて、
前記プリントサーバーが選択したプリンタは、前記携帯通信機器に近いプリンタ、印刷内容に適したプリンタ又は印刷が早く終了するプリンタプリンタであることを特徴とするクライアント。
【請求項２７】  プリンタに搭載されるプログラムを記録したコンピュータ読取可能な記録媒体において、
携帯通信機器との間で近距離無線通信を行う第一のステップと、
クライアントとの間で通信を行う第二のステップとを有し、
前記第一のステップにより、前記携帯通信機器から該携帯通信機器所有者向けの印刷ジョブに関する情報の通知を受け、前記第二のステップにより、クライアントへ印刷データの送信の要求又は自己のプリンタ属性を送信することをコンピュータに実行させて、
前記携帯通信機器に近いプリンタから印刷させるプログラムを記録したコンピュータ読取可能な記録媒体。
【請求項２８】  クライアントに搭載されるプログラムを記録したコンピュータ読取可能な記録媒体において、
携帯通信機器との間で通信を行う第一のステップと、
プリンタとの間で通信を行う第二のステップと、
前記携帯通信機器に対する印刷データを蓄積する第三のステップと、
前記第三のステップにより蓄積された印刷データを、前記携帯通信機器が指定したプリンタ、前記携帯通信機器から印刷ジョブに関する情報を受けたプリンタであって前記印刷データの転送要求を行ったプリンタ、又は前記クライアントが選択したプリンタに送信して、該プリンタから印刷させることをコンピュータに実行させて、
前記携帯通信機器に近いプリンタから印刷させるプログラムを記録したコンピュータ読取可能な記録媒体。
【請求項２９】 携帯通信機器、画像形成装置、画像形成サーバー及びこれらの機器を接続するネットワークとを有する画像形成システムであって、
前記画像形成サーバーは、前記画像形成装置との間で、第一通信手段と、
前記携帯通信機器は、前記画像形成装置との間で、近距離無線通信を用いた第二通信手段とを有し、
更に、前記画像形成サーバーは、前記第一通信手段により、前記蓄積手段に蓄積された印刷データを、前記第二通信手段により探索した前記携帯通信機器周辺に位置する画像形成装置に送信することを特徴とする画像形成システム。
【手続補正２】
【補正対象書類名】明細書
【補正対象項目名】００１２
【補正方法】変更
【補正の内容】
【００１２】
請求項１に記載された発明は、携帯通信機器（例えば、図１における１１）、プリンタ（例えば、図１における１２Ａ〜１２Ｃ）、プリントサーバー（例えば、図における１３）及びこれらの機器を接続するネットワーク（例えば、図における１５）とを有する印刷システムであって、前記プリントサーバーは、前記プリンタとの間で、第一通信手段と、前記携帯通信機器は、前記プリンタとの間で、近距離無線通信（例えば、Ｂｌｕｅｔｏｏｔｈ）を用いた第二通信手段とを有し、更に、前記プリントサーバーは、前記第一通信手段により、前記蓄積手段に蓄積された印刷データを、前記第二通信手段により探索した前記携帯通信機器周辺に位置するプリンタに送信することを特徴とする印刷システムである。
【手続補正３】
【補正対象書類名】明細書
【補正対象項目名】００１４
【補正方法】変更
【補正の内容】
【００１４】
請求項２に記載された発明は、請求項１記載の印刷システムにおいて、前記携帯通信機器は、クライアント及び前記プリントサーバーとの間で、第三通信手段及び第四通信手段を有し、前記携帯通信機器は、前記第三通信手段又は第四通信手段により、前記クライアント又は前記プリントサーバーから、当該携帯通信機器に対する印刷ジョブの通知を受けることを特徴とする。
【手続補正４】
【補正対象書類名】明細書
【補正対象項目名】００１８
【補正方法】変更
【補正の内容】
【００１８】
また、携帯機器は、自己宛の印刷データを、近くのプリンタから、容易に入手することができる。
【手続補正５】
【補正対象書類名】明細書
【補正対象項目名】００２１
【補正方法】変更
【補正の内容】
【００２１】
また、携帯機器は、自己宛の印刷データを、近くのプリンタから、容易に入手することができる。
【手続補正６】
【補正対象書類名】明細書
【補正対象項目名】００２４
【補正方法】変更
【補正の内容】
【００２４】
請求項６に記載された発明は、携帯通信機器、クライアント、プリンタ、プリントサーバー及びこれらの機器を接続するネットワークとを有する印刷システムにおける印刷方法であって、前記プリントサーバーは、前記クライアントから出力された印刷データを蓄積する蓄積ステップと、前記携帯通信機器は、前記プリンタとの間で、近距離無線通信を用いて通信を行う通信ステップとを有し、前記プリントサーバーは、前記蓄積手段に蓄積された印刷データを、前記携帯通信機器が指定したプリンタ、前記携帯通信機器から印刷ジョブに関する情報を受けたプリンタであって前記印刷データの転送要求を行ったプリンタ、又は前記プリントサーバーが選択したプリンタに送信する印刷データ送信ステップと、前記印刷データを受信したプリンタが印刷するステップとを有することを特徴とする。
【手続補正７】
【補正対象書類名】明細書
【補正対象項目名】００２９
【補正方法】変更
【補正の内容】
【００２９】
請求項１１に記載された発明は、携帯通信機器、クライアント、プリンタ、プリントサーバー及びこれらの機器を接続するネットワークとを有する印刷システムにおける携帯通信機器において、前記プリンタとの間で近距離無線通信を行う第一の通信手段と、前記プリントサーバーとの間で通信を行う第二の通信手段と、前記クライアントとの間で通信を行う第三の通信手段とを有し、第二通信手段又は第三通信手段により、前記クライアント又は前記プリントサーバーから、当該携帯通信機器に対する印刷ジョブの通知を受け、前記第一の通信手段を用いて印刷するプリンタを特定し、この印刷するプリンタの情報を、前記第二の通信手段により前記プリントサーバーに通知することを特徴とする。
【手続補正８】
【補正対象書類名】明細書
【補正対象項目名】００３０
【補正方法】変更
【補正の内容】
【００３０】
請求項１２に記載された発明は、携帯通信機器、クライアント、複数のプリンタ、プリントサーバー及びこれらの機器を接続するネットワークとを有する印刷システムにおける携帯通信機器において、前記プリンタとの間で近距離無線通信を行う第一の通信手段と、前記プリントサーバーとの間で通信を行う第二の通信手段と、前記クライアントとの間で通信を行う第三の通信手段とを有し、第二通信手段又は第三通信手段により、前記クライアント又は前記プリントサーバーから、当該携帯通信機器に対する印刷ジョブの通知を受け、前記第一の通信手段を用いて、印刷するプリンタを検索し、さらに、前記第一の通信手段を用いて、検索したプリンタに、前記プリントサーバーに印刷データ要求するよう指示することを特徴とする。
【手続補正９】
【補正対象書類名】明細書
【補正対象項目名】００３３
【補正方法】変更
【補正の内容】
【００３３】
請求項１４に記載された発明は、携帯通信機器、プリンタ、プリントサーバー及びこれらの機器を接続するネットワークとを有する印刷システムにおけるプリンタにおいて、前記携帯通信機器との間で近距離無線通信を行う第一の通信手段と、前記プリントサーバーとの間で通信を行う第二の通信手段とを有し、前記第一の通信手段を用いて、前記携帯通信機器から該携帯通信機器所有者向けの印刷ジョブに関する情報の通知を受け、前記第二の通信手段により、プリントサーバーへ印刷データの送信の要求又は自己のプリンタ属性を送信する手段を有し、前記プリントサーバーから前記印刷データを受信したプリンタが、前記携帯通信機器向けの印刷を行うことを特徴とする。
【手続補正１０】
【補正対象書類名】明細書
【補正対象項目名】００３６
【補正方法】変更
【補正の内容】
【００３６】
請求項１６に記載された発明は、携帯通信機器、クライアント、プリンタ、プリントサーバー及びこれらの機器を接続するネットワークとを有する印刷システムにおけるプリントサーバーにおいて、前記携帯通信機器との間で通信を行う第一の通信手段と、前記プリンタとの間で通信を行う第二の通信手段と、前記クライアントとの間で通信を行う第三の通信手段と、前記第三の通信手段により、前記クライアントから出力された印刷データを蓄積する蓄積手段とを有し、前記蓄積手段に蓄積された印刷データを、前記携帯通信機器が指定したプリンタ、前記携帯通信機器から印刷ジョブに関する情報を受けたプリンタであって前記印刷データの転送要求を行ったプリンタ、又は前記プリントサーバーが選択したプリンタに送信することを特徴とする。
請求項１７に記載された発明は、請求項１６記載のプリントサーバーにおいて、プリントサーバーに蓄積された印刷データの印刷形式と指定されたプリンタの印刷形式が異なる場合、印刷データの印刷形式を指定されたプリンタの印刷形式に変更して、前記第二の通信手段により前記プリンタに伝送することを特徴とする。
【手続補正１１】
【補正対象書類名】明細書
【補正対象項目名】００４２
【補正方法】変更
【補正の内容】
【００４２】
請求項２０に記載された発明は、請求項１〜５に記載された印刷システムに適したプリントサーバーに搭載されるプログラムが記録されたコンピュータ読取可能な記録媒体である。
請求項２１に記載された発明は、携帯通信機器、クライアント、プリンタ及びこれらの機器を接続するネットワークとを有する印刷システムにおける印刷方法であって、前記クライアントは、印刷ジョブを生成するステップと、前記クライアントは、前記携帯通信機器に対する印刷ジョブに関する情報を、当該携帯機器に通知するステップと、前記携帯通信機器と前記プリンタの間で、近距離無線通信を行うステップと、前記クライアントは、印刷データを、前記携帯通信機器が指定したプリンタ、前記プリントサーバーに前記印刷データの転送要求を行ったプリンタ又は前記プリントサーバーが選択したプリンタプリンタに送信する印刷データ送信ステップと、印刷データを受信したプリンタが印刷するステップと有することを特徴とする。
【手続補正１２】
【補正対象書類名】明細書
【補正対象項目名】００４４
【補正方法】変更
【補正の内容】
【００４４】
請求項２３に記載された発明は、携帯通信機器、クライアント、プリンタ及びこれらの機器を接続するネットワークとを有する印刷システムにおける携帯通信機器において、前記プリンタとの間で近距離無線通信を行う第一の通信手段と、前記クライアントとの間で通信を行う第二の通信手段とを有し、第二通信手段により、前記クライアントから、当該携帯通信機器に対する印刷ジョブの通知を受け、前記第一の通信手段により、印刷するプリンタを特定し、印刷ジョブに関する情報を、該プリンタに転送することを特徴とする。
【手続補正１３】
【補正対象書類名】明細書
【補正対象項目名】００４５
【補正方法】変更
【補正の内容】
【００４５】
請求項２４に記載された発明は、携帯通信機器、クライアント、プリンタ及びこれらの機器を接続するネットワークとを有する印刷システムにおけるプリンタにおいて、前記携帯通信機器との間で近距離無線通信を行う第一の通信手段と、前記クライアントとの間で通信を行う第二の通信手段と、前記第一の通信手段を用いて、前記携帯通信機器から該携帯通信機器所有者向けの印刷ジョブに関する情報を受け、前記第二の通信手段により、前記クライアントへ印刷データの送信を要求又は又は自己のプリンタ属性を送信する手段を有し、前記クライアントから前記印刷データを受信したプリンタが、前記携帯通信機器向けの印刷することを特徴とする。
【手続補正１４】
【補正対象書類名】明細書
【補正対象項目名】００４６
【補正方法】変更
【補正の内容】
【００４６】
請求項２５に記載された発明は、携帯通信機器、クライアント、プリンタ及びこれらの機器を接続するネットワークとを有する印刷システムにおけるクライアントにおいて、前記携帯通信機器との間で通信を行う第一の通信手段と、前記プリンタとの間で通信を行う第二の通信手段と、前記携帯通信機器に対する印刷データを蓄積する蓄積手段とを有し、前記第一の通信手段により、前記携帯通信機器に、当該携帯通信機器に対する印刷ジョブの通知を行い、前記蓄積手段に蓄積された印刷データを、前記第二通信手段により、前記携帯通信機器が指定したプリンタ、前記クライアントに前記印刷データの転送要求を行ったプリンタ又は前記クライアントが選択したプリンタに送信することを特徴とする。
【手続補正１５】
【補正対象書類名】明細書
【補正対象項目名】００５１
【補正方法】変更
【補正の内容】
【００５１】
クライアントが、プリントサーバーの機能を有するので、システムの構成を少なくすることができる。
請求項２９に記載された発明は、携帯通信機器、画像形成装置、画像形成サーバー及びこれらの機器を接続するネットワークとを有する画像形成システムであって、前記画像形成サーバーは、前記画像形成装置との間で、第一通信手段と、
前記携帯通信機器は、前記画像形成装置との間で、近距離無線通信を用いた第二通信手段とを有し、更に、前記画像形成サーバーは、前記第一通信手段により、前記蓄積手段に蓄積された印刷データを、前記第二通信手段により探索した前記携帯通信機器周辺に位置する画像形成装置に送信することを特徴とする画像形成システムである。